(57)【要約】【課題】誤った送信先にデータ送信が行われることを防止することが可能な回線制御装置を提供すること。【解決手段】分散構成多機能周辺装置は、ＭＦＰと、子機と、ＢＯＸとを備える。ＢＯＸは、子機の通話期間中には、送信データを生成しない制御をＭＦＰに実行させるロック開始通知をＭＦＰへ送信する。ＢＯＸは、子機の通話期間外には、送信データを生成する制御をＭＦＰに実行させるロック終了通知をＭＦＰへ送信する。ＢＯＸは、ＭＦＰで生成された送信データをＭＦＰから受信し、受信した送信データをデータ送信先へ送信する。ＢＯＸは、子機の通話期間中に子機からＦＡＸ送信指示を受け付けることを条件として、送信データを生成する制御をＭＦＰに実行させる。ＢＯＸは、子機で音声通話を行っている音声通話先を、通話期間中に生成が開始された送信データのデータ送信先として、送信データを送信する。【選択図】図２
2014068301.tif 000002
【特許請求の範囲】
【請求項１】
原稿を読取る読取手段と、その読取った画像データから生成した送信データをデータ送信先へ送信する送信手段とを備える多機能通信装置と、
音声信号を送受信して音声通話を行う無線通信端末と、
前記多機能通信装置と前記送信データの通信を行う第１通信部、および、前記無線通信端末と前記音声信号の第１無線通信を行う第２通信部、および、通信回線先の装置と通信回線網を介して通信を行う通信回線部を有し、前記第１通信部により前記多機能通信装置と通信を行い、前記通信回線部を用いて通信回線先の装置と通信回線網を介して前記送信データの通信を行い、前記第２通信部を用いて前記無線通信端末と通信を行い、前記通信回線部を用いて前記通信回線先の装置と通信回線網を介して前記音声信号の通信を行う回線制御装置と、
を備える通信装置の回線制御装置であって、
前記無線通信端末で音声通話が行われている期間である通話期間中には、前記送信データを生成しない制御を前記多機能通信装置に実行させる第１制御命令を前記多機能通信装置へ送信し、前記通話期間外には、前記送信データを生成する制御を前記多機能通信装置に実行させる第２制御命令を前記多機能通信装置へ送信するデータ生成制御手段と、
前記多機能通信装置で生成された前記送信データを前記多機能通信装置から受信し、受信した前記送信データを前記データ送信先へ送信する送信手段と、
を備え、
前記データ生成制御手段は、前記通話期間中に、前記無線通信端末から第１送信命令を受け付けることを条件として、前記送信データを生成する制御を前記多機能通信装置に実行させる第３制御命令を前記多機能通信装置へ送信し、
前記送信手段は、前記無線通信端末で音声通話を行っている音声通話先を、前記第３制御命令に従って前記通話期間中に生成が開始された前記送信データの前記データ送信先として、前記送信データを送信することを特徴とする回線制御装置。
【請求項２】
前記多機能通信装置は、原稿台にセットされた原稿を読み取って前記送信データを生成し、
前記回線制御装置は、前記原稿が前記原稿台にセットされた原稿セットタイミングと、前記無線通信端末での前記音声通話が開始された通話開始タイミングとの前後関係を前記多機能通信装置により判断された情報を受信する受信手段をさらに備え、
前記データ生成制御手段は、
前記原稿セットタイミングが前記通話開始タイミングの後であると判断された情報を受信した場合には、前記無線通信端末から前記第１送信命令を受け付けることなく、前記第３制御命令を前記多機能通信装置へ送信し、
前記原稿セットタイミングが前記通話開始タイミングの前であると判断された情報を受信した場合には、前記無線通信端末からの前記第１送信命令が受け付けられることを条件として、前記第３制御命令を前記多機能通信装置へ送信することを特徴とする請求項１に記載の回線制御装置。
【請求項３】
前記多機能通信装置および前記無線通信端末の各々は、予め定められた通信可能距離内に互いに近接することを条件として、各種のデータを通信する第２無線通信を行う第３通信部をさらに備えており、
前記回線制御装置は、前記多機能通信装置で生成された前記送信データを前記通信回線網を介してデータ送信先の装置へ送信する命令である第２送信命令を受信する受信手段をさらに備え、
前記通話期間中に、前記多機能通信装置が前記第２無線通信によって前記無線通信端末から前記各種のデータを受信している場合には、前記データ生成制御手段は、前記受信手段で前記第２送信命令の入力を受け付けることに応じて、前記送信データを生成する制御を前記多機能通信装置に実行させる第４制御命令を前記多機能通信装置へ送信することを特徴とする請求項１または２に記載の回線制御装置。
【請求項４】
前記通信可能距離が１メートル以内であることを特徴とする請求項３に記載の回線制御装置。
【請求項５】
前記第３通信部は、ＮＦＣインターフェースプロトコルの通信方式で、前記第２無線通信を実行することを特徴とする請求項４に記載の回線制御装置。
【請求項６】
原稿を読取る読取手段と、その読取った画像データから生成した送信データをデータ送信先へ送信する送信手段とを備える多機能通信装置と、
音声信号を送受信して音声通話を行う無線通信端末と、
前記多機能通信装置と前記送信データの通信を行う第１通信部、および、前記無線通信端末と前記音声信号の第１無線通信を行う第２通信部、および、通信回線先の装置と通信回線網を介して通信を行う通信回線部を有し、前記第１通信部により前記多機能通信装置と通信を行い、前記通信回線部を用いて通信回線先の装置と通信回線網を介して前記送信データの通信を行い、前記第２通信部を用いて前記無線通信端末と通信を行い、前記通信回線部を用いて前記通信回線先の装置と通信回線網を介して前記音声信号の通信を行う回線制御装置と、
を備える通信装置であって、
前記多機能通信装置は、前記無線通信端末で音声通話が行われている期間である通話期間中には前記送信データを生成しない制御を実行し、前記通話期間外には前記送信データを生成する制御を実行するデータ生成制御手段を備えており、
前記回線制御装置は、前記多機能通信装置で生成された前記送信データを前記多機能通信装置から受信し、受信した前記送信データを前記データ送信先へ送信する送信手段を備えており、
前記データ生成制御手段は、前記通話期間中に、前記無線通信端末から第１送信命令を受け付けることを条件として、前記送信データを生成する制御を実行し、
前記送信手段は、前記無線通信端末で音声通話を行っている音声通話先を、前記通話期間中に生成が開始された前記送信データの前記データ送信先として、前記送信データを送信することを特徴とする通信装置。
【発明の詳細な説明】
【技術分野】
【０００１】
本明細書に開示される技術は、誤った送信先にデータ送信が行われることを防止することが可能な回線制御装置に関するものである。
【背景技術】
【０００２】
特許文献１には、コードレス子機が通話中であるときに、ＭＦＰに設けられているファクシミリ送信開始ボタンを押すと、コードレス子機が通話中の相手先にファクシミリ送信を実行する技術が開示されている。
【先行技術文献】
【特許文献】
【０００３】
【特許文献１】特開２００７−８９０４０号公報
【発明の概要】
【発明が解決しようとする課題】
【０００４】
特許文献１の技術では、ＭＦＰからファクシミリ送信が指示された場合には、コードレス子機で通話中の相手先に必ずファクシミリが送信されてしまう。すると、あるユーザがＭＦＰから離れた場所でコードレス子機を用いて通話している期間中に、別のユーザがＭＦＰを操作して通話中の相手とは別の相手にファクシミリ送信を行おうとする場合には、別のユーザが意図しない相手先にファクシミリが送信されてしまうという不具合が発生する可能性がある。本明細書では、このような不便性を解消することができる技術を提供する。
【課題を解決するための手段】
【０００５】
本明細書に記載されている回線制御装置は、原稿を読取る読取手段と、その読取った画像データから生成した送信データをデータ送信先へ送信する送信手段とを備える多機能通信装置と、音声信号を送受信して音声通話を行う無線通信端末と、多機能通信装置と送信データの通信を行う第１通信部、および、無線通信端末と音声信号の第１無線通信を行う第２通信部、および、通信回線先の装置と通信回線網を介して通信を行う通信回線部を有し、第１通信部により多機能通信装置と通信を行い、通信回線部を用いて通信回線先の装置と通信回線網を介して送信データの通信を行い、第２通信部を用いて無線通信端末と通信を行い、通信回線部を用いて通信回線先の装置と通信回線網を介して音声信号の通信を行う回線制御装置と、を備える通信装置の回線制御装置であって、無線通信端末で音声通話が行われている期間である通話期間中には、送信データを生成しない制御を多機能通信装置に実行させる第１制御命令を多機能通信装置へ送信し、通話期間外には、送信データを生成する制御を多機能通信装置に実行させる第２制御命令を多機能通信装置へ送信するデータ生成制御手段と、多機能通信装置で生成された送信データを多機能通信装置から受信し、受信した送信データをデータ送信先へ送信する送信手段と、を備え、データ生成制御手段は、通話期間中に、無線通信端末から第１送信命令を受け付けることを条件として、送信データを生成する制御を多機能通信装置に実行させる第３制御命令を多機能通信装置へ送信し、送信手段は、無線通信端末で音声通話を行っている音声通話先を、第３制御命令に従って通話期間中に生成が開始された送信データのデータ送信先として、前記送信データを送信することを特徴とする。
【０００６】
この構成によれば、無線通信端末で音声通話が行われている期間中に送信データを送信することが試行された場合には、無線通信端末で音声通話を実行しているユーザから第１送信命令が得られることを条件として、送信データを音声通話先へ送信することが可能となる。これにより、あるユーザが無線通信端末を用いて音声通話を行っている期間中に、別のユーザが多機能通信装置を操作して送信データを送信しようとする場合において、別のユーザが意図しない相手先（音声通話先）に送信データが送信されてしまう、という事態が発生することを防止できる。
【０００７】
請求項２記載の回線制御装置によれば、原稿セットタイミングが通話開始タイミングの後であると判断される場合には、音声通話を実行しているユーザが原稿をセットしており、音声通話を実行しているユーザと送信データを送信するユーザとが一致すると判断することができる。そして、両ユーザが一致するため、音声通話を実行しているユーザから第１送信命令を受け付けることなく、送信データを多機能通信装置に生成させることができる。これにより、第１送信命令を入力する操作を省略することができるため、ユーザの利便性を高めることが可能となる。
【０００８】
請求項３記載の回線制御装置によれば、通話期間中に第２送信命令の入力を受け付けたときに、無線通信端末が多機能通信装置から通信可能距離の範囲内にいるか否かを検出することができる。そして、無線通信端末が多機能通信装置から通信可能距離の範囲内にいる場合には、音声通話を実行しているユーザが多機能通信装置の近傍にいるため、音声通話を実行しているユーザと第２送信命令を入力したユーザとが一致すると判断することができる。そして両ユーザが一致するため、第１送信命令を受け付けることなく、送信データを多機能通信装置に生成させることができる。これにより、第１送信命令を入力する操作を省略することができるため、ユーザの利便性を高めることが可能となる。
【０００９】
また、請求項４に記載の回線制御装置では、音声通話を実行しているユーザが、多機能通信装置にセットされている原稿の内容を確認することができる程度に、多機能通信装置の近傍にいるか否かを判断することができる。よって、音声通話を実行しているユーザと送信データを送信するユーザとが一致するか否かの判断を、正確に行うことが可能となる。
【００１０】
また、請求項５に記載の回線制御装置では、多機能通信装置と無線通信端末との間で第２無線通信を開始する際に、通信設定を不要とすることができる。
【図面の簡単な説明】
【００１１】
【図１】分散構成多機能周辺装置のブロック図である。
【図２】ＢＯＸの動作の第１部分を示すフロー図である。
【図３】ＢＯＸの動作の第１部分に続く第２部分を示すフロー図である。
【図４】ＢＯＸの動作の第２部分に続く第３部分を示すフロー図である。
【図５】ＭＦＰの動作の第１部分を示すフロー図である。
【図６】ＭＦＰの動作の第１部分に続く第２部分を示すフロー図である。
【図７】子機の通話動作の第１部分を示すフロー図である。
【図８】子機の通話動作の第１部分に続く第２部分を示すフロー図である。
【発明を実施するための形態】
【００１２】
＜分散構成多機能周辺装置の構成＞
図１に、本願に係る第１実施形態として例示される分散構成多機能周辺装置１のブロック図を示す。分散構成多機能周辺装置１は、多機能周辺装置（以下「ＭＦＰ」と称す）１０と、回線制御装置（以下「ＢＯＸ」と称す）３１とを備える。ＢＯＸ３１は、電話回線４７を使用した通信の制御を行う通信装置である。ＭＦＰ１０は、プリンタ機能、スキャナ機能、コピー機能、ファクシミリ機能などを備える。また、ＭＦＰ１０とＢＯＸ３１とは、アドホックモードの無線ＬＡＮ接続方式により、直接に無線通信２０２を行うことが可能とされる。
【００１３】
ＭＦＰ１０の構成について説明する。ＭＦＰ１０は、ＣＰＵ１１、ＲＯＭ１２、ＲＡＭ１３、ＥＥＰＲＯＭ１４、無線ＬＡＮ送受信部１５、無線ＬＡＮアンテナ部１６、ボタン入力部１７、パネル１８、プリンタ１９、スキャナ２０、ＮＦＣリーダ２４、を主に備えている。これらの構成要素は、入出力ポート２２を介して互いに通信可能に接続されている。
【００１４】
ＣＰＵ１１は、ＲＯＭ１２等に記憶されるプログラムや、無線ＬＡＮ送受信部１５を介して送受信される各種信号などに従って、各機能の制御を行う。ＲＯＭ１２は、ＭＦＰ１０で実行される制御プログラムなどを格納した書換不能なメモリであり、後述する無線ＬＡＮ簡単設定処理などを実行する各プログラムが格納されている。ＲＡＭ１３は、書換可能な揮発性のメモリである。ＲＡＭ１３には、後述する発呼情報や着呼情報が記憶される。ＥＥＰＲＯＭ１４は、書換可能な不揮発性のメモリである。
【００１５】
無線ＬＡＮ送受信部１５は、無線ＬＡＮアンテナ部１６を介して、アドホックモードの無線通信２０２を行う。そして、無線ＬＡＮ送受信部１５により、各種のデータを構成するデジタル信号が送受信される。なお、無線ＬＡＮ方式の例としては、例えばＩＥＥＥ８０２．１１ａ／ｂ／ｇ／ｎの規格で定められる通信方式が挙げられる。ボタン入力部１７は、ＭＦＰ１０の各機能を実行するためのキーである。パネル１８は、ＭＦＰ１０の各種機能情報を表示する。プリンタ１９は、印刷を実行する部位である。スキャナ２０は、読み取りを実行する部位である。スキャナ２０は、原稿台２３およびセンサ２１を備える。原稿台２３は、スキャナ２０で読み込むための原稿を載置する部位である。原稿台２３は、ＡＤＦ（Auto Document Feederの略）を備えていても良い。また原稿台２３は、ＦＢ（Flat Bedの略）でもよい。原稿台２３に載置される原稿の一例としては、ＦＡＸ送信用の原稿が挙げられる。センサ２１は、原稿台２３に載置された原稿の有無や、原稿のサイズを検出するためのセンサである。
【００１６】
ＮＦＣリーダ２４は、ＮＦＣタグ７４との間でＮＦＣ通信２０４を行う。ＮＦＣ通信２０４は、ＮＦＣインターフェースプロトコルの通信方式による近接場型の無線通信であり、通信エリアがおよそ１メートル以内の極短距離である通信である。ＮＦＣ通信の種類には、赤外線通信や、ブルートゥース（登録商標）が含まれる。
【００１７】
ＢＯＸ３１の構成について説明する。ＢＯＸ３１は、ＣＰＵ３２、ＲＯＭ３３、ＲＡＭ３４、ＥＥＰＲＯＭ３５、無線ＬＡＮ送受信部３６、無線ＬＡＮアンテナ部３７、操作キー３８、パネル３９、モデム４０、通信回線接続部４１、ＤＣＬ送受信部４５、ＤＣＬアンテナ部４６を主に備えている。
【００１８】
モデム４０は、通信回線接続部４１および電話回線４７を介して、通信回線網１００に接続されている。モデム４０は、ファクシミリ機能によって送信する原稿データを、通信回線網１００に伝送可能な信号に変調して通信回線接続部４１を介して送信したり、通信回線網１００から通信回線接続部４１を介して入力された信号を受信し、原稿データへ復調するものである。
【００１９】
無線ＬＡＮアンテナ部３７は、２．４（ＧＨｚ）帯を使用する装置である。無線ＬＡＮ送受信部３６は、無線ＬＡＮアンテナ部３７を介して、アドホックモードの無線通信２０２を行う。そして、無線ＬＡＮ送受信部３６により、各種のデータを構成するデジタル信号が送受信される。また、ＤＣＬアンテナ部４６は、１．９（ＧＨｚ）帯を使用する装置である。ＤＣＬ送受信部４５は、ＤＣＬアンテナ部４６を介して、子機６０と無線通信２０３を行う。そして、ＤＣＬ送受信部４５により、音声通話信号が送受信される。無線通信２０３は、ＮＦＣ通信２０４よりも通信可能距離が大きい通信である。また、無線通信２０３の通信速度は、ＮＦＣ通信２０４の通信速度よりも高速である。
【００２０】
ＲＡＭ３４には、発呼情報、着呼情報、通話先電話番号、などが記憶される。ＥＥＰＲＯＭ３５には、送信データ、ＦＡＸ電話番号、などが記憶される。これらの情報の内容については、後述する。なお、ＢＯＸ３１のその他の構成は、上述したＭＦＰ１０の構成と同様であるため、ここでは詳細な説明は省略する。
【００２１】
子機６０の構成について説明する。子機６０は、ＣＰＵ６２、ＲＯＭ６３、ＲＡＭ７５、ＥＥＰＲＯＭ７６、ボタン入力部６８、パネル６９、ＤＣＬ送受信部６５、ＤＣＬアンテナ部６６、マイク７０、レシーバ７１、スピーカ７２、振動部７３、ＮＦＣタグ７４、入出力ポート６４、を主に備えている。マイク７０は、通話時のユーザの音声を取得する送話部である。レシーバ７１は、通話時に相手方の音声を再生する受話部である。スピーカ７２は、着信音などを鳴動させる部位である。振動部７３は、子機６０を振動させる部位である。ＮＦＣタグ７４は、ＮＦＣリーダ２４との間でＮＦＣ通信２０４を行う。なお、子機６０のその他の構成は、上述したＭＦＰ１０およびＢＯＸ３１の構成と同様であるため、ここでは詳細な説明は省略する。また子機６０は、子機の各々を一意に識別するための情報である子機ＩＤが割り当てられている。子機ＩＤはＲＯＭ６３に記憶される。子機ＩＤを用いることにより、子機６０が複数備えられる場合においても、各々の子機を区別することが可能となる。
【００２２】
また、子機６０とＭＦＰ５１とは、ＮＦＣ通信２０４を行うことが可能とされている。よって、子機６０をＭＦＰ５１に近接させる（例：かざす）ことにより、ＮＦＣ通信２０４を行える状態になることで、子機６０とＭＦＰ５１との間で各種の情報を通信することが可能になる。
【００２３】
分散構成多機能周辺装置１について説明する。分散構成多機能周辺装置１は、ＢＯＸ３１およびＭＦＰ１０を備えることによって、物理的に分離した構成とされる。これにより、電話回線４７のコネクタ部にＭＦＰ１０を直接に接続する必要がないため、ＭＦＰ１０のレイアウト性を高めることができ、ユーザの利便性を高めることができる。
【００２４】
また例えば、分散構成多機能周辺装置１でファクシミリ機能を実行する場合には、ＭＦＰ１０のスキャナ２０で生成されたデータが、ＢＯＸ３１を介して通信回線網１００へ送信される。また、ＢＯＸ３１が通信回線網１００から受信したデータが、ＭＦＰ１０で受信され、プリンタ１９で印刷される。
【００２５】
＜ＢＯＸの動作＞
図２〜図４を用いて、ＢＯＸ３１の動作を説明する。Ｓ１１０においてＣＰＵ３２は、子機６０から発呼情報および通話先電話番号を受信したか否かを判断する。発呼情報は、通話先電話番号によって特定される通話先へ、子機６０から電話をかけたことを示す情報である。受信した場合（Ｓ１１０：ＹＥＳ）にはＳ１２０へ進む。Ｓ１２０においてＣＰＵ３２は、発呼情報および通話先電話番号をＲＡＭ３４に記憶させるとともに、ＭＦＰ１０へ送信する。またＣＰＵ３２は、ロック開始通知をＭＦＰ１０へ送信する。ロック開始通知は、ＭＦＰ１０にロック制御を開始させるための命令である。ロック制御は、送信データをスキャナ２０に生成させない制御である。ロック制御は、子機６０で音声通話が行われている期間中に行われる制御である。そしてＳ１２２へ進む。
【００２６】
一方、Ｓ１１０において発呼情報を受信していない場合（Ｓ１１０：ＮＯ）には、Ｓ１１２へ進む。Ｓ１１２においてＣＰＵ３２は、通信回線網１００から、呼出信号およびナンバーディスプレイ情報を受信したか否かを判断する。ナンバーディスプレイ情報は、発呼元の通話先電話番号を示す情報である。受信していない場合（Ｓ１１２：ＮＯ）にはＳ１２６へ進み、受信した場合（Ｓ１１２：ＹＥＳ）にはＳ１１４へ進む。Ｓ１１４においてＣＰＵ３２は、ナンバーディスプレイ情報に基づいて、発呼元の通話先電話番号を取得する。そして、子機６０へ呼出音鳴動指示を送信する。
【００２７】
Ｓ１１６においてＣＰＵ３２は、子機６０から外線接続指示を受信したか否かを判断する。外線接続指示は、例えば、子機６０に備えられる通話開始ボタンをユーザが押下することで、子機６０からＢＯＸ３１へ送信される。外線接続指示を受信していない場合（Ｓ１１６：ＮＯ）にはＳ１２６へ進み、受信した場合（Ｓ１１６：ＹＥＳ）にはＳ１１８へ進む。
【００２８】
Ｓ１１８においてＣＰＵ３２は、着呼情報および通話先電話番号をＲＡＭ３４に記憶させるとともに、ＭＦＰ１０へ送信する。着呼情報は、通話先電話番号によって特定される通話先から、電話がかかってきたことを示す情報である。またＣＰＵ３２は、ロック開始通知をＭＦＰ１０へ送信する。Ｓ１２２においてＣＰＵ３２は、子機６０を外線接続状態にする。これにより、子機６０を用いた通話処理を実行することが可能となる。
【００２９】
Ｓ１２６においてＣＰＵ３２は、子機６０から通話終了指示を受信したか否かを判断する。通話終了指示は、子機６０を用いた通話処理を終了させることを指示する情報である。通話終了指示を受信していない場合（Ｓ１２６：ＮＯ）にはＳ１３３へ進み、受信した場合（Ｓ１２６：ＹＥＳ）にはＳ１２８へ進む。Ｓ１２８においてＣＰＵ３２は、通信回線網１００との接続を切断し、通話処理を終了させる。Ｓ１３０においてＣＰＵ３２は、ロック終了通知をＭＦＰ１０へ送信する。ロック終了通知は、ＭＦＰ１０にロック制御を終了させるための命令である。ロック終了通知により、子機６０の通話期間外において、送信データの生成をスキャナ２０に実行させることが可能となる。そしてＳ１３３へ進む。
【００３０】
Ｓ１３３においてＣＰＵ３２は、子機６０から第１送信受付情報を受信したか否かを判断する。第１送信受付情報は、スキャナ２０で原稿を読み込んで送信データを生成し、生成した送信データを通信回線網１００を介してデータ送信先へ送信する処理の実行命令である。
【００３１】
Ｓ１３５においてＣＰＵ３２は、ＭＦＰ１０へ第２送信受付報知情報を送信する。第２送信受付報知情報は、原稿を読み込んで送信データを生成する処理を、スキャナ２０に実行させるための命令である。Ｓ１３７においてＣＰＵ３２は、ＭＦＰ１０から原稿セットタイミング回答を受信したか否かを判断する。原稿セットタイミング回答は、原稿が原稿台２３にセットされた原稿セットタイミングと、子機６０での音声通話が開始された通話開始タイミングとの前後関係を示す情報である。原稿セットタイミング回答を受信していない場合（Ｓ１３７：ＮＯ）にはＳ１４１へ進み、受信した場合（Ｓ１３７：ＹＥＳ）にはＳ１３８へ進む。
【００３２】
Ｓ１３８においてＣＰＵ３２は、原稿セットタイミングが通話開始タイミングの前であるか否かを、原稿セットタイミング回答に基づいて判断する。原稿セットタイミングが通話開始タイミングの後であると判断された場合（Ｓ１３８：ＮＯ）には、Ｓ１４２へ進む。Ｓ１４２においてＣＰＵ３２は、原稿セットタイミングが通話開始タイミングの後であることを回答する原稿セットタイミング回答を、子機６０へ送信する。そしてＳ１４３へ進む。
【００３３】
一方、Ｓ１３８において、原稿セットタイミングが通話開始タイミングの前であると判断された場合（Ｓ１３８：ＹＥＳ）には、Ｓ１３９へ進む。Ｓ１３９においてＣＰＵ３２は、原稿セットタイミングが通話開始タイミングの前であることを回答する原稿セットタイミング回答を、子機６０へ送信する。そしてＳ１４１へ進む。
【００３４】
Ｓ１４１においてＣＰＵ３２は、子機６０からＦＡＸ送信指示を受信したか否かを判断する。ＦＡＸ送信指示は、ＦＡＸ送信処理の実行命令である。ＦＡＸ送信指示を受信していない場合（Ｓ１４１：ＮＯ）にはＳ１４５へ進み、受信した場合（Ｓ１４１：ＹＥＳ）にはＳ１４３へ進む。Ｓ１４３においてＣＰＵ３２は、ＦＡＸ送信指示をＭＦＰ１０へ送信する。
【００３５】
Ｓ１４５においてＣＰＵ３２は、送信データおよびＦＡＸ電話番号をＭＦＰ１０から受信したか否かを判断する。送信データおよびＦＡＸ電話番号を受信した場合（Ｓ１４５：ＹＥＳ）には、ＦＡＸ電話番号で指定された送信先へ送信データを送信する場合であると判断される。すなわち、子機６０の通話期間外に、ＦＡＸ送信が開始された場合であると判断される。この場合、Ｓ１４６へ進み、ＣＰＵ３２は、ＦＡＸ電話番号で特定される送信先へ、送信データを送信する。そしてＳ１１０へ戻る。
【００３６】
一方、Ｓ１４５において、送信データおよびＦＡＸ電話番号をＭＦＰ１０から受信していない場合には、Ｓ１４７へ進む。Ｓ１４７においてＣＰＵ３２は、送信データをＭＦＰ１０から受信したか否かを判断する。送信データのみを受信した場合（Ｓ１４７：ＹＥＳ）には、子機６０で通話中の通話先へ送信データを送信する場合であるため、ＦＡＸ電話番号が不要な場合であると判断される。すなわち、子機６０の通話期間中に、ＦＡＸ送信が開始された場合であると判断される。そしてＳ１４８へ進む。一方、Ｓ１４７において送信データを受信していない場合（Ｓ１４７：ＮＯ）には、Ｓ１１０へ戻る。
【００３７】
Ｓ１４８においてＣＰＵ３２は、子機６０へＦＡＸ送信中の報知命令を送信する。ＦＡＸ送信中の報知命令は、通話先の相手にＦＡＸ送信を実行中であることをユーザに報知する動作を、子機６０に実行させるための命令である。
【００３８】
Ｓ１６２においてＣＰＵ３２は、ＣＮＧ信号を音声通話先の機器へ送出する。ＣＮＧ信号は、通信先の機器に対し自機がＦＡＸであることを通知するため用いられる、ＦＡＸ識別信号である。これにより、子機６０で音声通話を行っている音声通話先を、送信データ（Ｓ２５６）のデータ送信先とすることができる。
【００３９】
Ｓ１６４においてＣＰＵ３２は、音声通話先の機器から、ＣＥＤ信号およびＤＩＳ信号を受信したか否かを判断する。ＣＥＤ信号は、ＦＡＸ通信における最初の回線確立シーケンス段階で、発信側より送信されたＣＮＧ信号に対し、被呼側が送信する応答信号である。ＤＩＳ信号は、受信側の機器の機能を、送信側ＦＡＸ機へ伝えるための信号である。ＣＥＤ信号およびＤＩＳ信号を受信していない場合（Ｓ１６４：ＮＯ）にはＳ１６４へ戻る。一方、受信した場合（Ｓ１６４：ＹＥＳ）には、ＢＯＸ３１と音声通話先の機器との間でＦＡＸ送信用の回線が確立される。これにより、送信データの送受信を行うことが可能となる。そして、Ｓ１８２へ進む。
【００４０】
Ｓ１８２においてＣＰＵ３２は、ＭＦＰ１０へＦＡＸ送信報知命令を送信する。ＦＡＸ送信報知命令は、送信データをデータ送信先へ送信することを報知する動作を、ＭＦＰ１０に実行させるための命令である。Ｓ１８４においてＣＰＵ３２は、ＦＡＸ送信処理を実行する。これにより、ＥＥＰＲＯＭ３５に記憶されている送信データが、データ送信先へ送信される。
【００４１】
Ｓ１８６においてＣＰＵ３２は、ＦＡＸ送信が完了したか否かを判断する。完了していない場合（Ｓ１８６：ＮＯ）にはＳ１８６へ戻り、完了した場合（Ｓ１８６：ＹＥＳ）にはＳ１８８へ進む。Ｓ１８８においてＣＰＵ３２は、回線を開放する。Ｓ１９０においてＣＰＵ３２は、ＦＡＸ終了報知命令をＭＦＰ１０および子機６０へ送信する。ＦＡＸ終了報知命令は、送信データの送信が完了したことを報知する動作を、ＭＦＰ１０および子機６０に実行させるための命令である。そしてＳ１１０へ戻る。
【００４２】
＜ＭＦＰの動作＞
図５および図６を用いて、ＭＦＰ１０の動作を説明する。Ｓ２１０においてＣＰＵ１１は、発呼情報または着呼情報、通話先電話番号、およびロック開始通知を、ＢＯＸ３１から受信したか否かを判断する。受信していない場合（Ｓ２１０：ＮＯ）にはＳ２１６へ進み、受信した場合（Ｓ２１０：ＹＥＳ）にはＳ２１２へ進む。Ｓ２１２においてＣＰＵ１１は、受信した発呼情報または着呼情報、通話先電話番号、およびロック開始通知を、ＲＡＭ１３に記憶させる。Ｓ２１４においてＣＰＵ１１は、ロック中情報をパネル１８に表示させる。ロック中情報は、子機６０を用いた音声通話の実行中期間であるため、スキャナ２０がロックされ、原稿を読み込んで送信データを生成することができない状態であることを示す情報である。
【００４３】
Ｓ２１６においてＣＰＵ１１は、ロック終了通知をＢＯＸ３１から受信したか否かを判断する。受信していない場合（Ｓ２１６：ＮＯ）にはＳ２２０へ進み、受信した場合（Ｓ２１６：ＹＥＳ）にはＳ２１８へ進む。Ｓ２１８においてＣＰＵ１１は、ＲＡＭ１３に記憶されている、発呼情報または着呼情報、通話先電話番号、およびロック開始通知を削除する。Ｓ２１９においてＣＰＵ１１は、ロック中情報のパネル１８への表示を終了させる。
【００４４】
Ｓ２２０においてＣＰＵ１１は、ボタン入力部１７に備えられている、本体送信ボタンが押下されたか否かを判断する。本体送信ボタンは、ＭＦＰ１０の原稿台２３にセットされた原稿をＦＡＸ送信する指示を入力するためのボタンである。本体送信ボタンが押下された場合（Ｓ２２０：ＹＥＳ）にはＳ２２２へ進み、押下されていない場合（Ｓ２２０：ＮＯ）にはＳ２２１へ進む。
【００４５】
Ｓ２２１においてＣＰＵ１１は、ＢＯＸ３１から第２送信受付報知情報を受信したか否かを判断する。受信していない場合（Ｓ２２１：ＮＯ）にはＳ２１０へ戻り、受信した場合（Ｓ２２１：ＹＥＳ）にはＳ２２２へ進む。
【００４６】
Ｓ２２２においてＣＰＵ１１は、ロック制御の期間中（すなわち、子機６０の通話期間中）であるか否かを判断する。ロック制御の期間中ではない場合（Ｓ２２２：ＮＯ）には、子機６０の通話先へ送信データが送信されてしまう事態が発生しない場合であると判断され、Ｓ２２４へ進む。Ｓ２２４においてＣＰＵ１１は、スキャナ２０を動作させ、送信データを生成する。Ｓ２２６においてＣＰＵ１１は、送信データおよびＦＡＸ電話番号をＢＯＸ３１へ送信する。そしてＳ２６０へ進む。
【００４７】
一方、Ｓ２２２においてロック制御の期間中である場合（Ｓ２２２：ＹＥＳ）には、送信データを送信してよいか否かを判断する必要がある場合であると判断され、Ｓ２３１へ進む。Ｓ２３１においてＣＰＵ１１は、ＮＦＣ信号を子機６０から受信中であるか否かを判断する。受信中である場合（Ｓ２３１：ＹＥＳ）には、ＭＦＰ５１の所定距離（例：１０ｃｍ）以内に子機６０が存在していることにより、ＮＦＣ通信２０４を行える状態になっている場合であると判断できる。よって、Ｓ２５６へ進む。一方、ＮＦＣ信号を子機６０から受信中ではない場合（Ｓ２３１：ＮＯ）には、Ｓ２３２へ進む。
【００４８】
Ｓ２３２においてＣＰＵ１１は、原稿セットタイミングが、通話開始タイミングの前であるか否かを判断する。この判断は、例えば、原稿台２３に原稿が載置されたことをセンサ２１が検出したタイミングが、ＢＯＸ３１から発呼情報、着呼情報、通話先電話番号などを受信した前であるか否かを判断することよって行うことができる。
【００４９】
原稿セットタイミングが、通話開始タイミングの前である場合（Ｓ２３２：ＹＥＳ）には、Ｓ２３６へ進む。Ｓ２３６においてＣＰＵ１１は、通話開始前に原稿をセットしたことを示す原稿セットタイミング回答を生成する。Ｓ２４０においてＣＰＵ１１は、生成した原稿セットタイミング回答をＢＯＸ３１へ送信する。Ｓ２４２においてＣＰＵ１１は、ＦＡＸ送信指示をＢＯＸ３１から受信したか否かを判断する。受信していない場合（Ｓ２４２：ＮＯ）にはＳ２４２へ戻り、受信した場合（Ｓ２４２：ＹＥＳ）にはＳ２５６へ進む。
【００５０】
一方、Ｓ２３２において、原稿セットタイミングが、通話開始タイミングの後である場合（Ｓ２３２：ＮＯ）には、Ｓ２４６へ進む。Ｓ２４６においてＣＰＵ１１は、通話開始後に原稿をセットしたことを示す原稿セットタイミング回答を生成する。Ｓ２４８においてＣＰＵ１１は、生成した原稿セットタイミング回答をＢＯＸ３１へ送信する。そしてＳ２５６へ進む。
【００５１】
Ｓ２５６においてＣＰＵ１１は、スキャナ２０を動作させ、送信データを生成する。Ｓ２５８においてＣＰＵ１１は、送信データをＢＯＸ３１へ送信する。Ｓ２６０においてＣＰＵ１１は、ＢＯＸ３１からＦＡＸ送信報知命令を受信したか否かを判断する。受信していない場合（Ｓ２６０：ＮＯ）にはＳ２６０へ戻り、受信した場合（Ｓ２６０：ＹＥＳ）にはＳ２６２へ進む。Ｓ２６２においてＣＰＵ１１は、送信中情報をパネル１８に表示させる。送信中情報は、送信データを送信中であることを示す情報である。送信中情報によって、送信データの送信先が子機６０の通話先と同一であることを、パネル１８に表示させてもよい。
【００５２】
Ｓ２６４においてＣＰＵ１１は、ＢＯＸ３１からＦＡＸ終了報知命令を受信したか否かを判断する。受信していない場合（Ｓ２６４：ＮＯ）にはＳ２６４へ戻り、受信した場合（Ｓ２６４：ＹＥＳ）にはＳ２６６へ進む。Ｓ２６６においてＣＰＵ１１は、送信完了情報をパネル１８に所定時間の間表示させる。送信完了情報は、送信データの送信が完了したことを示す情報である。そしてＳ２１０へ戻る。
【００５３】
＜子機の動作＞
図７および図８を用いて、子機６０の通話動作を説明する。Ｓ３１０においてＣＰＵ６２は、発呼操作の入力を受け付けたか否かを判断する。発呼操作の入力は、例えば、ユーザがボタン入力部６８を操作して、通話先電話番号を入力して通話開始ボタンを押下することによって、受け付けられる。発呼操作の入力が受け付けられた場合（Ｓ３１０：ＹＥＳ）には、Ｓ３１２へ進み、ＣＰＵ６２は、発呼情報および通話先電話番号をＢＯＸ３１へ送信する。そしてＳ３１８へ進む。
【００５４】
一方、Ｓ３１０において発呼操作の入力が受け付けられていない場合（Ｓ３１０：ＮＯ）には、Ｓ３１４へ進む。Ｓ３１４においてＣＰＵ６２は、呼出音鳴動指示をＢＯＸ３１から受信したか否かを判断する。受信していない場合（Ｓ３１４：ＮＯ）にはＳ３１０へ戻り、受信した場合（Ｓ３１４：ＹＥＳ）にはＳ３１６へ進む。Ｓ３１６においてＣＰＵ６２は、通話開始操作の入力を受け付けたか否かを判断する。通話開始操作の入力は、例えば、ユーザがボタン入力部６８の通話開始ボタンを押下することによって、受け付けられる。通話開始操作の入力が受け付けられていない場合（Ｓ３１６：ＮＯ）にはＳ３１０へ戻り、受け付けられた場合（Ｓ３１６：ＹＥＳ）にはＳ３１７へ進む。Ｓ３１７においてＣＰＵ６２は、外線接続指示をＢＯＸ３１へ送信する。そしてＳ３１８へ進む。
【００５５】
Ｓ３１８においてＣＰＵ６２は、通話処理を実行する。また、Ｓ３２２においてＣＰＵ６２は、通話中であることを示す通話中情報を、パネル６９に表示させる。
【００５６】
Ｓ３２５においてＣＰＵ６２は、手動送信ボタンが押下されたか否かを判断する。手動送信ボタンは、ＭＦＰ１０の原稿台２３にセットされた原稿をＦＡＸ送信する指示を入力するためのボタンである。手動送信ボタンは、ボタン入力部６８に備えられているとしてもよい。手動送信ボタンが押下されていない場合（Ｓ３２５：ＮＯ）にはＳ３２７へ進む。Ｓ３２７においてＣＰＵ６２は、原稿セットタイミング回答をＢＯＸ３１から受信したか否かを判断する。受信した場合（Ｓ３２７：ＹＥＳ）にはＳ３６０へ進み、受信していない場合（Ｓ３２７：ＮＯ）にはＳ３３８へ進む。Ｓ３３８においてＣＰＵ６２は、通話終了操作の入力を受け付けたか否かを判断する。通話開始操作の入力は、例えば、ユーザがボタン入力部６８の通話終了ボタンを押下することによって、受け付けられる。通話終了操作の入力が受け付けられていない場合（Ｓ３３８：ＮＯ）にはＳ３２５へ戻り、受け付けられた場合（Ｓ３３８：ＹＥＳ）にはＳ３４０へ進む。Ｓ３４０においてＣＰＵ６２は、ＢＯＸ３１へ通話終了指示を送信する。Ｓ３４２においてＣＰＵ６２は、通話中情報をパネル６９から消去する。そしてＳ３１０へ戻る。
【００５７】
一方、Ｓ３２５において、手動送信ボタンが押下された場合（Ｓ３２５：ＹＥＳ）には、Ｓ３５２へ進む。Ｓ３５２においてＣＰＵ６２は、第１送信受付情報をＢＯＸ３１へ送信する。Ｓ３５６においてＣＰＵ６２は、原稿セットタイミング回答をＢＯＸ３１から受信したか否かを判断する。受信していない場合（Ｓ３５６：ＮＯ）にはＳ３５６へ戻り、受信した場合（Ｓ３５６：ＹＥＳ）にはＳ３６０へ進む。
【００５８】
Ｓ３６０においてＣＰＵ６２は、原稿セットタイミングが通話開始タイミングの前であるか否かを、原稿セットタイミング回答に基づいて判断する。原稿セットタイミングが通話開始タイミングの後であると判断された場合（Ｓ３６０：ＮＯ）には、Ｓ３７６へ進む。一方、原稿セットタイミングが通話開始タイミングの前であると判断された場合（Ｓ３６０：ＹＥＳ）には、Ｓ３６４へ進む。Ｓ３６４においてＣＰＵ６２は、「通話前から原稿がセットしてあります。ＦＡＸ原稿がこの原稿でよろしければ、子機の手動送信ボタンを再度押下して下さい」という内容のメッセージを、パネル６９に表示させる。Ｓ３６８においてＣＰＵ６２は、手動送信ボタンが押下されたか否かを判断する。押下されていない場合（Ｓ３６８：ＮＯ）にはＳ３６８へ戻り、押下された場合（Ｓ３６８：ＹＥＳ）にはＳ３７２へ進む。Ｓ３７２においてＣＰＵ６２は、ＢＯＸ３１へＦＡＸ送信指示を送信する。
【００５９】
Ｓ３７６においてＣＰＵ６２は、ＦＡＸ送信中の報知命令をＢＯＸ３１から受信したか否かを判断する。受信していない場合（Ｓ３７６：ＮＯ）にはＳ３７６へ戻り、受信した場合（Ｓ３７６：ＹＥＳ）にはＳ３８０へ進む。Ｓ３８０においてＣＰＵ６２は、「ＦＡＸ送信中」のメッセージを、パネル６９に表示させる。Ｓ３８４においてＣＰＵ６２は、ＦＡＸ終了報知命令をＢＯＸ３１から受信したか否かを判断する。受信していない場合（Ｓ３８４：ＮＯ）にはＳ３８０へ戻り、受信した場合（Ｓ３８４：ＹＥＳ）にはＳ３８８へ進む。Ｓ３８８においてＣＰＵ６２は、「ＦＡＸ送信完了」のメッセージを、パネル６９に所定時間表示させる。そしてＳ３１０へ戻る。
【００６０】
＜効果＞
あるユーザが子機６０を用いて音声通話を行っている期間中に、別のユーザがＭＦＰ１０を操作して送信データを送信する場合には、通信回線の接続先である音声通話先へ送信データが送信されてしまう。本明細書に記載の分散構成多機能周辺装置１では、あるユーザが子機６０を用いて音声通話を行っている期間中（Ｓ２２２：ＹＥＳ）に、別のユーザがＭＦＰ１０を用いて送信データを送信しようとした場合（Ｓ２２０：ＹＥＳ）には、子機６０を使用中のユーザが子機６０の手動送信ボタンを押下してデータ送信を許可することを条件として（Ｓ３６８：ＹＥＳ⇒Ｓ１４１：ＹＥＳ⇒Ｓ２４２：ＹＥＳ）、送信データを音声通話先へ送信することが可能となる（Ｓ２５８、Ｓ１８４）。これにより、別のユーザが意図しない相手先（音声通話先）に送信データが送信されてしまう、という事態が発生することを防止できる。
【００６１】
原稿セットタイミングが通話開始タイミングの後であると判断される場合（Ｓ２３２：ＮＯ）には、子機６０を用いて音声通話を実行しているユーザが原稿をセットした場合であると判断することができる。すなわち、音声通話を実行しているユーザと送信データを送信するユーザとが一致する場合であると判断することができる。これは、ＦＡＸを送信する前に電話で相手に一報を入れる場合や、音声通話中にＦＡＸの送信依頼を通話先から受けた場合には、通話開始後に原稿をセットする場合が多いためである。そして、音声通話を実行しているユーザと送信データを送信するユーザとが一致する場合には、ユーザが意図しない相手先（音声通話先）に送信データが送信されてしまう、という事態が発生しない。よって、子機６０を使用中のユーザがデータ送信を許可することを条件とせずに（Ｓ２４２を経由せずに）、送信データをＭＦＰ１０に生成させることができる（Ｓ２５６）。これにより、子機６０を使用中のユーザが子機６０の手動送信ボタンを押下する、という操作を省略することができるため、ユーザの利便性を高めることが可能となる。
【００６２】
ユーザが子機６０を用いて音声通話を行っている期間中（Ｓ２２２：ＹＥＳ）に子機６０からＦＡＸ送信の実行命令が入力された場合（Ｓ２２１：ＹＥＳ）において、ＭＦＰ１０がＮＦＣ信号を子機６０から受信中である場合（Ｓ２３１：ＹＥＳ）には、子機６０を用いて音声通話を実行しているユーザが原稿をセットした場合であると判断することができる。すなわち、音声通話を実行しているユーザと送信データを送信するユーザとが一致する場合であると判断することができる。これは、ＭＦＰ１０が子機６０からＮＦＣ信号を受信中である場合には、子機６０を使用しているユーザがＭＦＰ１０のごく近傍にいる状態であるため、原稿台２３に載置されている原稿が、自身の原稿であるか否かを把握しているとみなすことができるためである。そして、音声通話を実行しているユーザと送信データを送信するユーザとが一致する場合には、ユーザが意図しない相手先（音声通話先）に送信データが送信されてしまう、という事態が発生しない。よって、原稿セットタイミングを判断することなく（Ｓ２３２〜Ｓ２４８を経由することなく）、送信データを送信（Ｓ２５８、Ｓ１８４）することが可能となる。
【００６３】
また、本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成するものであり、そのうちの一つの目的を達成すること自体で技術的有用性を持つものである。
【００６４】
＜変形例＞
子機６０が手動送信ボタンを備えるとともに、ＭＦＰ１０が本体送信ボタンを備える形態を説明したが、この形態に限られない。何れか一方のみに送信ボタンが備えられている形態であってもよい。
【００６５】
送信データは、スキャン処理（Ｓ２２４）により生成されたデータに限られない。インターネットを介して取得されたデータなどの各種のデータを、送信データとして取り扱うことが可能である。
【００６６】
なお、スキャナ２０は、読取手段の一例である。無線ＬＡＮ送受信部１５、無線ＬＡＮアンテナ部１６は、送信手段の一例である。ＭＦＰ１０は多機能通信装置の一例である。子機６０は、無線通信端末の一例である。無線通信２０２は、送信データの通信の一例である。無線ＬＡＮアンテナ部３７は、第１通信部の一例である。無線通信２０３は、第１無線通信の一例である。ＮＦＣ通信２０４は、第２無線通信の一例である。ＤＣＬアンテナ部４６は、第２通信部の一例である。通信回線接続部４１は、通信回線部の一例である。電話回線４７は、通信回線の一例である。通信回線網１００は、通信回線網の一例である。ＢＯＸ３１は、回線制御装置の一例である。分散構成多機能周辺装置１は、通信装置の一例である。ロック開始通知は、第１制御命令の一例である。ロック終了通知は、第２制御命令の一例である。Ｓ１１８、Ｓ１２０、Ｓ１３０を実行するＣＰＵは、データ生成制御手段の一例である。Ｓ１４６、Ｓ１８４を実行するＣＰＵは、送信手段の一例である。ＦＡＸ送信指示は、第１送信命令の一例である。ＦＡＸ送信指示は、第３制御命令の一例である。Ｓ１３８を実行するＣＰＵは、受信手段の一例である。第１送信受付情報は、第２送信命令の一例である。Ｓ１３３を実行するＣＰＵは、受信手段の一例である。第２送信受付報知情報は、第４制御命令の一例である。
【符号の説明】
【００６７】
１：分散構成多機能周辺装置、１０：ＭＦＰ、１１、３２、６２：ＣＰＵ、３１：ＢＯＸ、４１：通信回線接続部、６０：子機、１００：通信回線網、２０２、２０３：無線通信、２０４：ＮＦＣ通信
【図１】
2014068301.tif 000003
【図２】
2014068301.tif 000004
【図３】
2014068301.tif 000005
【図４】
2014068301.tif 000006
【図５】
2014068301.tif 000007
【図６】
2014068301.tif 000008
【図７】
2014068301.tif 000009
【図８】
2014068301.tif 000010